(57)【要約】【課題】カウンターの前後両側からのシンク部や水栓装置の使い勝手を向上させることができるようにすること。【解決手段】キッチン１０は、左右に延びるカウンター１１と、このカウンター１１の面内に設けられたシンク部１２と、このシンク部１２の上方から吐水可能な水栓装置１５とを備えて構成されている。カウンター１１は、シンク部１２の側方隣接位置に立ち上がり部１８を備えている。水栓装置１５は、立ち上がり部１８の面内における前後方向中央位置から突設している。【選択図】図１
2008220719.tif 000002
【特許請求の範囲】
【請求項１】
左右に延びるカウンターと、このカウンターの面内に設けられたシンク部と、このシンク部に吐水可能に設けられた水栓装置とを備えたキッチンにおいて、
前記カウンターは、シンク部の側方隣接位置に立ち上がり部を備え、この立ち上がり部の領域内から前記水栓装置が突設されていることを特徴とするキッチン。
【請求項２】
前記立ち上がり部の上端側には、略水平方向に延びる平面部が設けられていることを特徴とする請求項１記載のキッチン。
【請求項３】
前記水栓装置は、前記シンク部の前後方向中央位置に設けられていることを特徴とする請求項１又は２記載のキッチン。
【発明の詳細な説明】
【技術分野】
【０００１】
本発明は、キッチンに係り、更に詳しくは、水栓装置等の使い勝手を向上させることができるキッチンに関する。
【背景技術】
【０００２】
従来より、一般住宅等のキッチンにおいて、シンクの後方に水栓装置が設置されたカウンターが使用されている。前記水栓装置を利用すると、水が飛散するために水栓装置の基部や、その回りに水滴や水垢が残存して汚れ易くなり、清掃等の手入れの負担が大きくなる。そこで、キッチンに沿う壁面に水栓装置を突設する構造（以下、「従来構造１」と称する）が知られている他、本出願人により、カウンターの後方に立ち上がり部を一体成形し、この立ち上がり部に水栓装置を取り付ける構造（以下、「従来構造２」と称する、特許文献１参照）が提案されている。この従来構造１及び２によれば、水栓装置の基部や壁面、立ち上がり部に付着した水滴が自重により落下して汚れの付着を抑制することが可能となる。
【０００３】
【特許文献１】特開２００７−１４７５０号公報
【発明の開示】
【発明が解決しようとする課題】
【０００４】
しかしながら、前記従来構造１では、水栓装置がカウンターの後端側に位置するので、利用者から水栓装置が遠くなり、使い勝手が悪くなる場合がある。また、従来構造１にあっては、壁面に沿う位置にカウンターを設置することが不可欠になる。このため、利用者がカウンターの前後両側からシンクにアクセス可能ないわゆる対面キッチンには利用できなくなる、という制約を受ける。
【０００５】
ここで、従来構造２にあっては、水栓装置が立ち上がり部に取り付けられるために壁面が不要となり、前述の従来構造１の制約を緩和することができる。ところが、従来構造２は、以下に述べる点において、若干の改善の余地が残されていた。
【０００６】
すなわち、従来構造２では、カウンターの立ち上がり部側すなわち後方からシンクを利用しようとすると、当該立ち上がり部や水栓装置が邪魔になる。
しかも、立ち上がり部の面内に小物等を収納可能な収納部を設けたり、食器や調理器具を載置すべく立ち上がり部の上端に平面部を連設した場合、立ち上がり部や平面部を設けた分、カウンター全体の前後幅が大きくなり、立ち上がり部側からのシンクへのアクセスも行い難くなる。
また、立ち上がり部と反対側すなわち前方からシンクを利用する際、従来構造１と同様に、利用者から平面部や収納部が遠くなり、比較的身長が低い利用者にあっては、収納部内への小物の出し入れ等の収納部や平面部を利用した作業が行い難くなる場合がある。
更に、立ち上がり部により利用者の視界が狭くなり、利用者からカウンターの向こう側が見え難くなる。そのため、例えば、キッチンにリビングが隣接する場合、キッチンとリビングとの一体感を阻害する要因ともなる。
【０００７】
［発明の目的］
本発明は、前述した従来構造１における制約を緩和するとともに、特許文献１（従来構造２）の構成を更に発展的に改善し、カウンターの前後両側からのシンク部や水栓装置の使い勝手をより向上させることができるキッチンを提供することにある。
【課題を解決するための手段】
【０００８】
前記目的を達成するため、本発明は、左右に延びるカウンターと、このカウンターの面内に設けられたシンク部と、このシンク部に吐水可能に設けられた水栓装置とを備えたキッチンにおいて、
前記カウンターは、シンク部の側方隣接位置に立ち上がり部を備え、この立ち上がり部の領域内から前記水栓装置が突設される、という構成を採っている。
【０００９】
本発明において、前記立ち上がり部の上端側には、略水平方向に延びる平面部が設けられる、という構成が好ましくは採用される。
【００１０】
また、前記水栓装置は、前記シンク部の前後方向中央位置に設けられる、という構成を採ることが好ましい。
【発明の効果】
【００１１】
本発明によれば、立ち上がり部に水栓装置を設けたので、それらに飛散する水滴等が自重で落下し、当該水滴が付着して汚れることを防止することができる。
また、立ち上がり部及び水栓装置がシンク部側方に位置するので、立ち上がり部及び水栓装置が邪魔になることなく、カウンターの前側及び後側の両方からシンクを同じように利用することができ、対面キッチンとした場合の利便性を高めることができる。
しかも、従来構造１及び２に比べ、カウンターの前後何れから使用した場合でも、水栓装置を利用者に近付けることができる他、立ち上がり部に小物を収納する収納部等を設けても、従来構造２に比べ、収納部を利用者寄りに近付けることができる。これにより、身長が低い利用者でも水栓装置や収納部を利用し易くなり、使い勝手を向上させることが可能となる。
更に、カウンターの左右幅全体に対し、シンク部の側方に立ち上がり部を部分的に形成できるので、利用者の視界を遮る領域を小さくすることができる。従って、キッチンにリビングが隣接する場合、キッチンとリビングとの一体感が阻害されることを抑えることができる。
【００１２】
また、立ち上がり部の上端側に平面部が設けられるので、当該平面部もカウンターの前後両側からアクセスし易い位置に形成されることとなり、例えば、平面部上に食器等を乗せて乾燥させたりする作業が行い易くなる。
【００１３】
更に、シンク部の前後方向中央位置に水栓装置を設けた場合、カウンターの前後両側からの水栓装置の距離が略同一となり、当該水栓装置を前後両側から同じように利用することができる。また、立ち上がり部における水栓装置の前後両側にそれぞれ収納部をバランス良く配置でき、使い勝手をより高めることが可能となる。
【発明を実施するための最良の形態】
【００１４】
以下、本発明の好ましい実施の形態について図面を参照しながら説明する。
なお、本明細書及び特許請求の範囲において、特に明示しない限り、「上」、「下」、「左」、「右」は、図１中矢印Ａ方向から見た場合を基準とし、「側方」とは、矢印Ａ方向から見た場合の左右方向を示す。また、「前」とは矢印Ａ方向から見た場合の手前側を示す一方、「後」とは、同奥行き側について用いられる。
【００１５】
図１には、実施形態に係るキッチンの概略斜視図が示されている。この図において、キッチン１０は、図示しないキャビネット上に配置されるとともに、左右に延びるカウンター１１と、このカウンター１１の面内に設けられたシンク部１２及び加熱調理器１３と、シンク部１２の上方から吐水可能な水栓装置１５とを備えて構成されている。シンク部１２は、平面視略長方形状に形成されているとともに、有底容器状に形成されている。
【００１６】
前記カウンター１１は、載置面１７Ａを上面に有するカウンター本体１７と、このカウンター本体１７の左端側に形成された立ち上がり部１８と、前記載置面１７Ａ上に形成された隆起部１９と、カウンター本体１７の外周から垂下する垂下面部２０とを備えて構成されている。カウンター本体１７には、シンク部１２及び加熱調理器１３の取り付け位置に対応する領域に穴２２，２３が設けられている。隆起部１９は、図２に示されるように、載置面１７Ａにおける立ち上がり部１８側を除く外縁に沿う位置と、シンク部１２と加熱調理器１３とを仕切るように前後に延びる位置とに形成されている。これにより、シンク部１２周りにおいて、載置面１７Ａ上に流れた水がカウンター１１の外側にこぼれ落ちたり、加熱調理器１３側に流れて前記穴２３内に水が侵入することを回避できるようになっている。
【００１７】
前記立ち上がり部１８は、載置面１７から左斜め上方向に傾斜する方向に向けられている。また、立ち上がり部１８は、シンク部１２の左側方隣接位置において、シンク部１２の左端部に沿って前後方向に延びるように形成されている。立ち上がり部１８の上端側には、シンク部１２と反対側（左側）に略水平方向に延びる平面部２５が設けられ、この平面部２５上に、必要に応じて、食器や小物等を載置できるようになっている。立ち上がり部１８及び平面部２５の前後両端側には、鉛直面部２６が連設され、この鉛直面部２６により水栓装置１５に接続される配管等を隠蔽可能となる。
【００１８】
立ち上がり部１８の面内前後二箇所位置には、収納部２７を受容する穴２８（図３参照）がそれぞれ設けられている。各収納部２７は、図３に示されるように、立ち上がり部１８と直交する方向に延びる周壁２７Ａと、この周壁２７Ａの上端に連なって立ち上がり部１８の表面に当接するフランジ２７Ｂと、周壁２７Ａの下部に連なる底壁２７Ｃとを備え、内部に洗剤やスポンジ等を収納できるようになっている。
【００１９】
前記水栓装置１５は、立ち上がり部１８の面内における前後方向中央位置から突設しており、カウンター１１の前後両端までの各距離が略同一となる位置に設けられている。本実施形態では、水栓装置１５は、レバー状の操作部１５Ａと、この操作部１５Ａの操作により吐水する吐水部１５Ｂとが一体となって立ち上がり部１８の一箇所より突設したものを用いている。
【００２０】
以上の構成において、水栓装置１５を使用した際、飛散した水や濡れた手から流れた水が水栓装置１５や立ち上がり部１８に付着しても、立ち上がり部１８を伝って流れ落ち、最終的にシンク部１２内に流れ込むこととなる。
【００２１】
また、立ち上がり部１８がシンク部１２の左側隣接位置に設けられるので、カウンター１１の後方からであっても、立ち上がり部１８が邪魔になることなく、載置面１７Ａや水栓装置１５、シンク部１２、平面部２５を利用可能となる。しかも、カウンター１１の前後どちらから利用した場合でも、従来タイプのものに比べて水栓装置１５や平面部２５、収納部２７を利用者に近付けることができる。これにより、特に背が低い利用者は前記操作部１５Ａの操作や、収納部２７への洗剤やスポンジの出し入れ等が行い易くなり、使い勝手をより向上させることができる。
【００２２】
更に、立ち上がり部１８から左側の一部だけが隆起部１９上端より高くなるので、カウンター１１を挟んで前方又は後方を見るときに、視界を遮る領域を小さくすることができる。このため、キッチンにリビングが隣接する場合、キッチンとリビングとの一体感が阻害されることを抑えることができる。
【００２３】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２４】
例えば、立ち上がり部１８は、図示構成例に限られるものでなく、略鉛直方向に沿う向きに形成してもよい。
更に、収納部２７の周壁２７Ａの向きは、種々の設計変更が可能であり、収納部２７への収納対象物に応じて、前記穴２８から略鉛直方向又は略水平方向に延びるように形成してもよい。
また、水栓装置１５は、所定操作を行うことで吐水を行えるものであればよく、例えば、操作部と吐水部とが別体に設けられて当該操作部が立ち上がり部１８から突設するような構成が例示できる。
【図面の簡単な説明】
【００２５】
【図１】実施形態に係るキッチンの概略斜視図。
【図２】図１のＢ−Ｂ線に沿う拡大端面図。
【図３】図１のＣ−Ｃ線に沿う拡大端面図。
【符号の説明】
【００２６】
１０・・・キッチン、１１・・・カウンター、１２・・・シンク部、１５・・・水栓装置、１８・・・立ち上がり部、２５・・・平面部
【図１】
2008220719.tif 000003
【図２】
2008220719.tif 000004
【図３】
2008220719.tif 000005